(57)【要約】【課題】厚さを薄くできるとともに、容易に操作できるボタンを提供する。【解決手段】雄部材２０と雌部材３０とを備えるボタンであって、雄部材２０が、トップ面２２ａと、そのトップ面２２ａの幅方向の両側から延びる外側面２２ｂとを具備する突起部２２と、トップ面２２ａに設けられている凸部２３とを有し、雌部材３０が、突起部２２を受け入れ、かつ、底面３２ａとその底面３２ａの幅方向の両側から延びる内側面３２ｂとを具備する溝部３２と、底面３２ａに設けられる凹部３３と、凸部２３を凹部３３に案内するために凹部３３から延びる凹状のガイド部３４とを有し、トップ面２２ａの両側から延びる外側面２２ｂの間隔が、トップ面２２ａに近づくに伴って広くなり、底面３２ａの両側から延びる内側面３２ｂの間隔が、雄部材２０を受け入れた状態でその厚み方向の移動を規制するように、底面３２ａに近づくに伴って広くなる。【選択図】図３
2015070893.tif 000002
【特許請求の範囲】
【請求項１】
雄部材と雌部材とを備えるボタンであって、
前記雄部材が、トップ面と、そのトップ面の幅方向の両側からそれぞれ延びる外側面とを具備する突起部と、前記トップ面に設けられている凸部とを有し、
前記雌部材が、前記突起部を受け入れ、かつ、底面とその底面の幅方向の両側からそれぞれ延びる内側面とを具備する溝部と、前記凸部を受け入れて前記トップ面の長さ方向の移動を拘束するとともに前記凸部を放出して前記トップ面の長さ方向の移動を解放するために前記底面に設けられる凹部と、前記凸部を前記凹部に案内するために前記凹部から延びる凹状のガイド部とを有し、
前記トップ面の両側からそれぞれ延びる前記外側面の間隔が、前記トップ面に近づくに伴って広くなり、
前記底面の両側からそれぞれ延びる前記内側面の間隔が、前記雄部材を受け入れた状態でその厚み方向の移動を規制するように、前記底面に近づくに伴って広くなることを特徴とするボタン。
【請求項２】
前記雄部材および前記雌部材のいずれか一方または両方が、さらに、操作用の窪み部を有することを特徴とする請求項１に記載のボタン。
【請求項３】
前記雄部材が、さらに、取り付け用の孔を有し、
前記雌部材が、さらに、取り付け用の孔を有することを特徴とする請求項１または２に記載のボタン。
【発明の詳細な説明】
【技術分野】
【０００１】
本発明は、衣服やカバン、財布等に使用可能であり、雄部材と雌部材とを備えるボタンに関するものである。さらに詳しくは、厚さを薄くできるとともに、容易に操作できるボタンに関するものである。
【背景技術】
【０００２】
衣服等でボタンとして、リング状の足部がボタン本体から突出するボタンが用いられており、このようなボタンはシャンクボタンとも呼ばれる。このシャンクボタンは、ボタン本体を細長いボタン穴に通過させる操作に伴ってボタンが留まる。また、ボタン本体を細長いボタン穴に通過させる操作に伴ってボタンが外れる。
【０００３】
衣服等に用いられるボタンに関し、従来から種々の提案がなされており、例えば特許文献１〜２がある。特許文献１には、衣服に用いられる留め具が提案されており、その留め具を用いる衣服には、縫い目で構成された係止部が一方の身頃に取り付けられる。また、留め具は、係止部に掛け止めされうる鉤部と、他方の身頃に取り付けられる保持部とを備える。その鉤部は、上方に延びるスロットを備え、そのスロットの上面は、掛け止め時に係止部の上端で支持される。
【０００４】
また、特許文献２には、雄ホックと、その雄ホックを係合する雌ホックとからなる係合具が提案されている。雄ホックは、全体略凸条体からなり、略円柱形状をなす先頭部の先端周部が後方周部よりも放射方向で外方に張り出すようにして先頭部の先端周部にフランジ状の突縁部を備える。一方、雌ホックは、雄ホックの先頭部を係入する雌穴を、円形をなす上面中心に備えた全体略円筒形状の基体を備え、その基体の内部には雄ホックの突縁部と係合または係合解除することを可能とした係合体を備える。
【０００５】
このような係合具において、特許文献２は、雄ホックの雌ホックに対する係合を、吸着部を被吸着部に吸着させるようにして確実かつ容易に行うとしている。また、雄ホックの先頭部の雌穴に対する係入方向と逆方向での係合解除が行えないように、雄ホックの先頭部の先端周部が、最先頭部から後方に向けてテーパ形状に拡開するようにして形成するとしている。
【先行技術文献】
【特許文献】
【０００６】
【特許文献１】特開２００７−２０６７６号公報
【特許文献２】特開２０１２−９５７８６号公報
【発明の概要】
【発明が解決しようとする課題】
【０００７】
前述の通り、衣服等でボタンとして、シャンクボタンが用いられる。このシャンクボタンは、ボタンを留めたり外したりする際にボタン本体を細長いボタン穴に通過させる必要がある。この操作は、ボタン穴の幅がボタン本体の厚さより狭いことから、ボタン本体がボタン穴に引っかかること等によって手間取る場合があり、特に幼児、老齢者や手の不自由な人にとっては手間がかかる。このため、容易に留めたり外したりすることが可能なボタンが望まれている。
【０００８】
一方、前述の特許文献１で提案される留め具は、留め具の鉤部が上方に延びるスロットを備え、そのスロットの上面は、掛け止め時に係止部の上端で支持されることから、容易にボタンを留めたり外したりすることができる。しかしながら、留め具の拘束が不十分であり、運動時等に留め具が意図せずに外れ易い傾向となる。
【０００９】
また、特許文献２で提案される係合具は、吸着部を被吸着部に吸着させることにより、雄ホックの雌ホックに対する係合を確実かつ容易に行うとしている。しかしながら、雄ホックに後方周部やフランジ状の先頭部を設けるとともに、そのフランジ状の先頭部を係合するために雌フックの基体の内部に係合体を配置するので、構造が複雑化してボタン全体の厚さが厚くなる。また、製造コストが増大する。
【００１０】
本発明は、このような状況に鑑みてなされたものであり、厚さを薄くできるとともに、容易に操作できるボタンを提供することを目的とする。
【課題を解決するための手段】
【００１１】
本発明の要旨は、以下の通りである。
【００１２】
（１）雄部材と雌部材とを備えるボタンであって、前記雄部材が、トップ面と、そのトップ面の幅方向の両側からそれぞれ延びる外側面とを具備する突起部と、前記トップ面に設けられている凸部とを有し、前記雌部材が、前記突起部を受け入れ、かつ、底面とその底面の幅方向の両側からそれぞれ延びる内側面とを具備する溝部と、前記凸部を受け入れて前記トップ面の長さ方向の移動を拘束するとともに前記凸部を放出して前記トップ面の長さ方向の移動を解放するために前記底面に設けられる凹部と、前記凸部を前記凹部に案内するために前記凹部から延びる凹状のガイド部とを有し、前記トップ面の両側からそれぞれ延びる前記外側面の間隔が、前記トップ面に近づくに伴って広くなり、前記底面の両側からそれぞれ延びる前記内側面の間隔が、前記雄部材を受け入れた状態でその厚み方向の移動を規制するように、前記底面に近づくに伴って広くなることを特徴とするボタン。
【００１３】
（２）前記雄部材および前記雌部材のいずれか一方または両方が、さらに、操作用の窪み部を有することを特徴とする上記（１）に記載のボタン。
【００１４】
（３）前記雄部材が、さらに、取り付け用の孔を有し、前記雌部材が、さらに、取り付け用の孔を有することを特徴とする上記（１）または（２）に記載のボタン。
【発明の効果】
【００１５】
本発明のボタンは、雄部材が突起部を有し、その外側面の間隔がトップ面に近づくに伴って広くなるとともに、雌部材が溝部を有し、その溝部の内側面の間隔が底面に近づくに伴って広くなる。このような雄部材の突起部を雌部材の溝部に差し込むことによってボタンを留めるので、ボタンを留めたり外したりする操作を容易に行うことができる。また、ボタン全体としての厚みを薄くできる。
【００１６】
雄部材が凸部を有するとともに雌部材の凹部を有し、ボタンを留めた際に凸部は凹部によって拘束されるので、本発明のボタンは、ボタンが意図せずに外れるのを防止できる。また、雄部材および雌部材はいずれも一体成形することができるので、製造コストの増大を抑制できる。
【図面の簡単な説明】
【００１７】
【図１】本発明のボタンが備える雄部材の構成例を示す模式図であり、同図（ａ）は斜視図、同図（ｂ）は上面図、同図（ｃ）はＡ−Ａ断面図、同図（ｄ）はＢ−Ｂ断面図である。
【図２】本発明のボタンが備える雌部材の構成例を示す模式図であり、同図（ａ）は斜視図、同図（ｂ）は上面図、同図（ｃ）はＣ−Ｃ断面図、同図（ｄ）はＤ−Ｄ断面図である。
【図３】本発明のボタンで雄部材と雌部材とを留める手順例、および、外す手順例を説明する模式図であり、同図（ａ）は雄部材の突起部の前側が雌部材の溝部の出入り口側に位置する状態の長さ方向の断面図、同図（ｂ）は雌部材が雄部材を受け入れた状態の長さ方向の断面図、同図（ｃ）は雌部材が雄部材を受け入れた状態の幅方向の断面図である。
【図４】雄部材の突起部および雌部材の溝部をテーパ状とする場合の本発明のボタンの構成例を示す模式図であり、同図（ａ）は雄部材を示す斜視図、同図（ｂ）は雌部材を示す斜視図である。
【発明を実施するための形態】
【００１８】
本発明のボタンは、雄部材と雌部材とを備える。その本発明のボタンについて、図面を参照しながら説明する。
【００１９】
図１は、本発明のボタンが備える雄部材の構成例を示す模式図であり、同図（ａ）は斜視図、同図（ｂ）は上面図、同図（ｃ）はＡ−Ａ断面図、同図（ｄ）はＢ−Ｂ断面図である。同図に示す雄部材２０は、略円盤状の本体２１と、突起部２２と、凸部２３と、取り付け用の孔２５とを有する。
【００２０】
突起部２２は、略円盤状の本体２１が具備する一方の円形状平面に設けられ、同図（ｄ）に示すように、トップ面２２ａと、そのトップ面２２ａの幅方向（同図（ｄ）の横方向）の両側からそれぞれ延びる外側面２２ｂとを具備する。すなわち、トップ面２２ａは、その幅方向の両側外縁でそれぞれ外側面２２ｂと繋がる。
【００２１】
同図に示す雄部材２０は、同図（ｄ）に示すように、外側面２２ｂがいずれも傾斜面であり、外側面２２ｂとトップ面２２ａとがなす角度が鋭角となるように傾斜する。このため、トップ面２２ａの両側からそれぞれ延びる外側面２２ｂの間隔（一方の外側面から他方の外側面までの距離）は、厚み方向（同図（ｄ）の縦方向）で変化し、トップ面２２ａに近づくに伴って広くなる。外側面２２ｂの間隔は、例えば、トップ面２２ａ側の外側面の外縁で１０ｍｍとし、トップ面２２ａと反対側（本体２１側）の外側面の外縁で８ｍｍとすることができる。
【００２２】
このような雄部材の突起部２２は、雄部材２０と雌部材とをトップ面２２ａの長さ方向（同図（ｂ）の横方向）に相対的に移動させることにより、雌部材の溝部に差し込まれる。本明細書では、雄部材の突起部２２のうちで最初に雌部材の溝部に差し込まれる側を前側と呼び、その雄部材の突起部の前側２２ｃを、同図（ｂ）に二点鎖線で囲んで示す。
【００２３】
また、突起部２２のトップ面２２ａに凸部２３が設けられており、同図に示す雄部材の凸部２３は、ドーム状である。
【００２４】
図２は、本発明のボタンが備える雌部材の構成例を示す模式図であり、同図（ａ）は斜視図、同図（ｂ）は上面図、同図（ｃ）はＣ−Ｃ断面図、同図（ｄ）はＤ−Ｄ断面図である。同図に示す雌部材３０は、略円盤状の本体３１と、溝部３２と、凹部３３と、ガイド部３４と、取り付け用の孔３７とを有する。
【００２５】
溝部３２は、略円盤状の本体３１が具備する一方の円形状平面に設けられ、同図（ｄ）に示すように、底面３２ａとその底面３２ａの幅方向（同図（ｄ）の横方向）の両側からそれぞれ延びる内側面３２ｂとを具備する。すなわち、底面３２ａは、その幅方向の両側外縁でそれぞれ内側面３２ｂと繋がる。
【００２６】
同図に示す雌部材３０は、同図（ｄ）に示すように、内側面３２ｂがいずれも傾斜面であり、内側面３２ｂと底面３２ａとがなす角度が鋭角となるように傾斜する。このため、底面３２ａの両側からそれぞれ延びる内側面３２ｂの間隔（一方の内側面から他方の内側面までの距離）は、厚み方向（同図（ｄ）の縦方向）で変化し、底面３２ａに近づくに伴って広くなる。内側面の間隔は、例えば、底面側の内側面の外縁で１０ｍｍとし、底面と反対側の内側面の外縁で８ｍｍとすることができる。
【００２７】
このような雌部材の溝部３２に、雄部材と雌部材３０とを底面３２ａの長さ方向（同図（ｂ）の横方向）に相対的に移動させることにより、雄部材の突起部が差し込まれる。本明細書では、雌部材の溝部３２のうちで最初に雄部材の突起部が差し込まれる側を出入り口側３２ｃと呼び、その雌部材の溝部の出入り口側３２ｃを、同図（ｂ）に二点鎖線で囲んで示す。
【００２８】
また、溝部の底面３２ａに凹部３３およびガイド部３４が設けられる。同図に示す雌部材の凹部３３は、底面３２ａに孔を設け、その孔と底面との稜線に面取りを施すことによって形成される形状である。同図に示す雌部材のガイド部３４は、スリット状であり、凹部３３から溝部３２の長さ方向に延びる。そのガイド部３４は、底面３２ａに凹部３３と繋がるようにスリットを設け、そのスリットと底面との稜線に面取りを施すことによって形成される形状である。
【００２９】
このガイド部３４の幅は、凹部３３の幅（直径）より狭い。例えば、雄部材の凸部を直径２ｍｍの半球状とする場合、ガイド部のスリットの幅を１ｍｍ、凹部の孔の直径を２ｍｍとし、それらスリットと孔と底面との稜線にＣ０．５で面取りを施すことによって凹部およびガイド部を形成できる。
【００３０】
このような雄部材２０と雌部材３０とを備える本発明のボタンで、雄部材２０と雌部材３０とを留める手順、および、外す手順を説明する。
【００３１】
図３は、本発明のボタンで雄部材と雌部材とを留める手順例、および、外す手順例を説明する模式図であり、同図（ａ）は雄部材の突起部の前側が雌部材の溝部の出入り口側に位置する状態の長さ方向の断面図、同図（ｂ）は雌部材が雄部材を受け入れた状態の長さ方向の断面図、同図（ｃ）は雌部材が雄部材を受け入れた状態の幅方向の断面図である。ここで、同図（ａ）および（ｂ）の長さ方向の断面図とは、雌部材の底面の長さ方向における断面図を意味し、具体的には、前記図２（ｂ）のＣ−Ｃ位置での断面図を意味する。また、同図（ｃ）の幅方向の断面図は、雌部材の底面の幅方向における断面図を意味し、具体的には、前記図２（ｃ）のＤ−Ｄ位置での断面図を意味する。同図には、雄部材２０および雌部材３０を示す。
【００３２】
ボタンを留めるに際し、雄部材２０および雌部材３０を、同図（ａ）に示すように雄部材の突起部のトップ面２２ａと雌部材の溝部の底面３２ａとが接し、雄部材の突起部２２の前側を雌部材の溝部３２の出入り口側に位置するように配置する。
【００３３】
この状態で、雄部材２０と雌部材３０とを相対的に長さ方向に移動させることにより、雄部材の突起部２２を雌部材の溝部３２に差し込む。その際、雄部材の凸部２３は、雌部材のガイド部３４を通過し、同図（ｂ）および（ｃ）に示すように、雌部材の凹部３３に到達する。このように雄部材２０の凸部２３が雌部材の凹部３３に位置することによって雌部材３０が雄部材２０を受け入れた状態となると、前述の通り、ガイド部３４（スリット）の幅は凹部３３（孔）の幅（直径）より狭いことから、雄部材２０と雌部材３０とが長さ方向に移動するのが拘束される。
【００３４】
また、雌部材３０が雄部材２０を受け入れた状態では、同図（ｃ）に示すように、雌部材の溝部の外側面２２ｂが雄部材の突起部の内側面３２ｂと接触する。これによって雄部材２０と雌部材３０とが厚さ方向に移動するのが規制される。
【００３５】
一方、ボタンを外す際は、雄部材２０および雌部材の一方または両方を、離間するように厚み方向に引っ張りつつ長さ方向に引っ張る。これにより、前述の長さ方向の拘束を解放し、雄部材２０と雌部材３０とを相対的に長さ方向に移動させて離間する。または、雄部材２０および雌部材の一方または両方を離間するように長さ方向に強く引っ張る。これにより、前述の長さ方向の拘束を解放し、雄部材２０と雌部材３０とを相対的に長さ方向に移動させて離間する。
【００３６】
このような本発明のボタンは、雌部材の溝部の内側面３２ｂと雄部材の突起部の外側面２２ｂとの接触により、雄部材２０と雌部材３０とが厚さ方向に移動するのを規制する。これにより、雄部材の突起部２２の幅（外側面２２ｂの間隔）と雌部材の溝部３２の幅（内側面３２ｂの間隔）が、同程度となる。このため、従来のシャンクボタンのようにボタン本体がボタン穴に引っかかって手間取ることがないので、ボタンを留めたり外したりする操作を容易に行うことができる。
【００３７】
また、雌部材の溝部の内側面３２ｂと雄部材の突起部の外側面２２ｂとの接触により、雄部材２０と雌部材３０とが厚さ方向に移動するのを規制するので、雄部材の突起部２２の厚みを薄く（例えば２ｍｍ程度に）できるとともに、雌部材の溝部３２の深さを浅く（例えば２ｍｍ程度に）できる。したがって、本発明のボタンは、全体としての厚みを薄く（例えば５ｍｍ程度に）できる。
【００３８】
また、本発明のボタンは、雌部材３０が雄部材２０を受け入れた状態となると、雄部材２０の凸部２３が雌部材の凹部３３によって拘束される。これにより、ボタンが意図せずに外れるのを防止できる。
【００３９】
本発明のボタンは、雄部材と雌部材とを備えるが、その雄部材および雌部材はいずれも一体成形することができる。このため、製造コストの増大を抑制できる。
【００４０】
本発明のボタンは、雄部材２０および雌部材３０のいずれか一方または両方が、さらに、操作用の窪み部２４を有するのが好ましい。これにより、爪等で窪み部２４を引っ掻くように操作することによってボタンを外ことができ、ボタンを外す操作をより容易に行うことができる。前記図１〜３に示す構成例では、雄部材の本体２１に操作用の窪み部２４が４つ設けられている。
【００４１】
本発明のボタンは、雄部材２０が取り付け用の孔２５を有するのが好ましい。これにより、衣服等への取り付けを容易に行うことができる。取り付け用の孔２５は、用途に応じて適宜配置や個数、形状を設定すればよい。前記図１に示す雄部材２０は、雄部材の本体２１の３箇所に取り付け用の孔２５が設けられている。その形状は、雄部材の本体２１ののうちで突起部２２が設けられる側から中間まで長穴があけられ、反対側から中間まで円形の穴が２つあけられている。
【００４２】
本発明のボタンは、雌部材３０が取り付け用の孔３７を有するのが好ましい。これにより、衣服等への取り付けを容易に行うことができる。取り付け用の孔３７は、用途に応じて適宜配置や個数、形状を設定すればよい。前記図２に示す雌部材３０は、雌部材の本体３１の３箇所に取り付け用の孔３７が設けられている。その形状は、雌部材の本体３１ののうちで溝部３２が設けられる側から中間まで長穴あけられ、反対側から中間まで円形の穴が２つあけられている。
【００４３】
本発明のボタンは、雄部材および雌部材の材質について特に制限はなく、例えば雄部材および雌部材を樹脂や金属、木材で構成することができる。製造コストを低減する観点から、雄部材および雌部材を熱可塑性樹脂または熱硬化性樹脂で構成するのが好ましい。雄部材および雌部材を熱可塑性樹脂または熱硬化性樹脂で構成する場合、雄部材および雌部材は、いずれも射出成形や圧縮成形、トランスファー成形により作製することができる。
【００４４】
雄部材および雌部材を熱可塑性樹脂で構成する場合、耐摩耗性の観点から、ＡＢＳ樹脂（アクリロニトリルブタジエンスチレン樹脂）、変性ポリフェニレンエーテル（ｍ−ＰＰＥ）、アクリル樹脂（ＰＭＭＡ）、ポリアセタール樹脂（ＰＯＭ）またはポリアミド樹脂（ＰＡ）で構成するのがより好ましい。熱硬化性樹脂で構成する場合、耐摩耗性の観点から、尿素樹脂（ユリア樹脂、ＵＦ）またはエポキシ樹脂（ＥＰ）で構成するのがより好ましい。
【００４５】
ここで、前記図１に示す雄部材の突起部２２は、一方の外側面２２ｂとトップ面２２ａとの稜線と、他方の外側面２２ｂとトップ面２２ａとの稜線とが平行であり、すなわち、ストレート状である。また、前記図２に示す雌部材の溝部３２は、一方の内側面３２ｂと底面３２ａとの稜線と、他方の内側面３２ｂと底面３２ａとの稜線とが平行であり、ストレート状である。
【００４６】
このように雄部材の突起部２２をストレート状とするとともに雌部材の溝部３２をストレート状とする場合、雌部材の溝部３２の出入り口側に案内部３５を設けるのが好ましい。これにより、ボタンを留める操作をより容易に行うことができる。溝部への案内部３５は、その両側の内側面の間隔が、溝部３２から遠ざかるに従って広くなるように設ければよい。前記図２に示す溝部への案内部３５は、その内側面と底面とでの稜線を円弧状とすることにより、溝部への案内部３５の内側面の間隔が、溝部３２から遠ざかるに従って広くなる。
【００４７】
また、雄部材の突起部２２をストレート状とするとともに雌部材の溝部３２をストレート状とする場合、雌部材のガイド部３４の出入り口側に案内部３６を設けるのが好ましい。これによっても、ボタンを留める操作をより容易に行うことができる。ガイド部への案内部３６は、その幅が、ガイド部３４から遠ざかるに従って広くなるように設ければよい。前記図２に示すガイド部への案内部３６は、円弧面で形成されており、ガイド部への案内部３６の内側面の間隔が、ガイド部３４から遠ざかるに従って広くなる。
【００４８】
本発明のボタンは、後述する図４（ａ）に示すように雄部材の突起部２２をテーパ状とするとともに、後述する図４（ｂ）に示すように雌部材の溝部３２をテーパ状とすることができる。これによっても、ボタンを留める操作をより容易に行うことができる。
【００４９】
図４は、雄部材の突起部および雌部材の溝部をテーパ状とする場合の本発明のボタンの構成例を示す模式図であり、同図（ａ）は雄部材を示す斜視図、同図（ｂ）は雌部材を示す斜視図である。同図（ａ）に示す雄部材２０は、一方の外側面２２ｂとトップ面２２ａとの稜線と他方の外側面２２ｂとトップ面２２ａとの稜線との間隔が、トップ面の長さ方向で変化し、突起部の前側から遠ざかるに従って広くなる。また、同図（ｂ）に示す雌部材３０は、一方の内側面３２ｂと底面３２ａとの稜線と他方の内側面３２ｂと底面３２ａとの稜線との間隔が、底面の長さ方向で変化し、溝部の出入り口側から遠ざかるに従って狭くなる。
【００５０】
このように雄部材の突起部および雌部材の溝部をいずれもテーパ状とすれば、ボタンを留めたり外したりする際に雄部材と雌部材とを長さ方向に相対的に移動させる距離を短くできる。これにより、ボタンを留める操作をより容易に行うことができるとともに、外す操作もより容易に行うことができる。
【００５１】
雄部材の凸部は、前記図１および図４（ａ）に示す構成例では、いずれもドーム状としたが、この形状に限定されない。雄部材の凸部は、例えば、半球状、円錐台状とすることもできる。
【００５２】
雌部材の凹部は、前記図２および図４（ｂ）に示す構成例では、雌部材の本体を貫通する孔により形成しているが、これに限定されない。雌部材の凹部は、雄部材の凸部の形状に対応する形状とすることができ、例えば、ドーム状、半球状、円錐台状とすることもできる。
【００５３】
雌部材のガイド部は、前記図２および図４（ｂ）に示す構成例では、スリットにより形成しているが、これに限定されない。雌部材のガイド部の断面形状は、雄部材の凸部の形状に基づいて設定でき、例えば、雄部材の凸部が半球状であれば、円弧状、雄部材の凹部がドーム状であれば楕円弧状、雄部材の凸部が円錐台状であれば台形状とすることができる。
【産業上の利用可能性】
【００５４】
本発明のボタンは、上述の通り、厚さを薄くできるとともに、容易に操作できる。このため、衣服やカバン、財布等に用いるボタンとして、有効に利用することができる。
【符号の説明】
【００５５】
２０：雄部材  ２１：雄部材の本体、  ２２：突起部、  ２２ａ：トップ面、
２２ｂ：外側面、  ２２ｃ：前側、  ２３：凸部、  ２４：窪み部、
２５：取り付け用の孔、  ３０：雌部材、  ３１：雌部材の本体、  ３２：溝部、
３２ａ：底面、  ３２ｂ：内側面、  ３２ｃ：出入り口側、  ３３：凹部、
３４：ガイド部、  ３５：溝部への案内部、  ３６：ガイド部への案内部、
３７：取り付け用の孔
【図１】
2015070893.tif 000003
【図２】
2015070893.tif 000004
【図３】
2015070893.tif 000005
【図４】
2015070893.tif 000006